【手続補正書】
【提出日】平成21年11月9日(2009.11.9)
【手続補正１】
【補正対象書類名】特許請求の範囲
【補正対象項目名】全文
【補正方法】変更
【補正の内容】
【特許請求の範囲】
【請求項１】
ホウ素含有スターター化合物にホウ素１当量当たり約０.７５当量〜約７当量の酸を添加し、および
二重金属シアン化物(ＤＭＣ)触媒の存在下、該ホウ素含有スターター化合物をアルキレンオキシドでポリオキシアルキル化することを含み、該ホウ素含有スターター化合物はＣ４〜Ｃ４０アルコールである、ポリエーテルポリオールの製造方法。
【請求項２】
ホウ素含有スターター化合物は、約０.０１〜約２０ｍｅｑ／ｋｇのホウ素化合物を含んでなる、請求項１に記載の方法。
【請求項３】
酸は、鉱酸、有機カルボン酸、ホスホン酸、スルホン酸およびそれらの組合せから選択される、請求項１に記載の方法。
【請求項４】
ホウ素１当量当たり約１〜約７当量のリン酸を添加する、請求項１に記載の方法。
【請求項５】
アルキレンオキシドは、エチレンオキシド、プロピレンオキシド、１,２-および２,３-ブチレンオキシド、イソブチレンオキシド、エピクロロヒドリン、シクロヘキセンオキシド、スチレンオキシドおよびＣ５〜Ｃ３０α-アルキレンオキシドから選択される、請求項１に記載の方法。
【請求項６】
ＤＭＣ触媒はヘキサシアノコバルト酸亜鉛である、請求項１に記載の方法。
【請求項７】
ポリエーテルの不飽和度は約０.０５ｍｅｑ／ｇ未満である、請求項１に記載の方法。
【請求項８】
ホウ素含有スターター化合物にホウ素１当量当たり約０.７５当量〜約７当量の酸を添加し、および
二重金属シアン化物(ＤＭＣ)触媒の存在下、該ホウ素含有スターター化合物をアルキレンオキシドでポリオキシアルキル化することを含み、該ホウ素含有スターター化合物はＣ９〜Ｃ３０アルコールである、燃料添加剤の製造方法。
【請求項９】
ホウ素含有スターター化合物は、約０.０１〜約２０ｍｅｑ／ｋｇのホウ素化合物を含んでなる、請求項８に記載の方法。
【請求項１０】
酸は、鉱酸、有機カルボン酸、ホスホン酸、スルホン酸およびそれらの組合せから選択される、請求項８に記載の方法。
【請求項１１】
ホウ素１当量当たり約１〜約７当量のリン酸を添加する、請求項８に記載の方法。
【請求項１２】
アルキレンオキシドは、エチレンオキシド、プロピレンオキシド、１,２-および２,３-ブチレンオキシド、イソブチレンオキシド、エピクロロヒドリン、シクロヘキセンオキシド、スチレンオキシドおよびＣ５〜Ｃ３０α-アルキレンオキシドから選択される、請求項８に記載の方法。
【請求項１３】
ＤＭＣ触媒はヘキサシアノコバルト酸亜鉛である、請求項８に記載の方法。
【請求項１４】
燃料添加剤の不飽和度は約０.０５ｍｅｑ／ｇ未満である、請求項８に記載の方法。
【手続補正２】
【補正対象書類名】明細書
【補正対象項目名】００４０
【補正方法】変更
【補正の内容】
【００４０】
以上、本発明の実施例を、限定でなく、例示の目的で挙げてきた。本発明の思想および範囲から逸脱することなく、記載した実施態様に変更または訂正を加えることができることは当業者には明らかである。本発明の範囲は、添付した請求の範囲で示される。
本発明の好ましい態様は、以下を包含する。
［１］  ホウ素含有スターター化合物にホウ素１当量当たり約０.７５当量〜約７当量の酸を添加し、および
二重金属シアン化物(ＤＭＣ)触媒の存在下、該ホウ素含有スターター化合物をアルキレンオキシドでポリオキシアルキル化することを含む、ポリエーテルポリオールの製造方法。
［２］  ホウ素含有スターター化合物はＣ４〜Ｃ４０アルコールである、［１］に記載の方法。
［３］  ホウ素含有スターター化合物はＣ９〜Ｃ３０アルコールである、［１］に記載の方法。
［４］  ホウ素含有スターター化合物はＣ１３アルコールである、［１］に記載の方法。
［５］  ホウ素含有スターター化合物は、約０.０１〜約２０ｍｅｑ／ｋｇのホウ素化合物を含んでなる、［１］に記載の方法。
［６］  ホウ素含有スターター化合物は、約０.４〜約１０ｍｅｑ／ｋｇのホウ素化合物を含んでなる、［１］に記載の方法。
［７］  ホウ素含有スターター化合物は、約１〜約８ｍｅｑ／ｋｇのホウ素化合物を含んでなる、［１］に記載の方法。
［８］  ホウ素１当量当たり約０.８当量〜約５当量の酸を添加する、［１］に記載の方法。
［９］  ホウ素１当量当たり約０.９５当量〜約４当量の酸を添加する、［１］に記載の方法。
［１０］  酸は、鉱酸、有機カルボン酸、ホスホン酸、スルホン酸およびそれらの組合せから選択される、［１］に記載の方法。
［１１］  酸は、クエン酸、１,３,５-ベンゼントリカルボン酸、ホスホン酸、ｐ-トルエンスルホン酸、塩酸、臭化水素酸、硫酸、ギ酸、シュウ酸、クエン酸、酢酸、マレイン酸、無水マレイン酸、コハク酸、無水コハク酸、アジピン酸、塩化アジポイル、無水アジピン酸、塩化チオニル、三塩化リン、塩化カルボニル、三酸化硫黄、塩化チオニル五酸化リン、オキシ三塩化リンおよびそれらの組合せから選択される、［１］に記載の方法。
［１２］  酸はリン酸である、［１］に記載の方法。
［１３］  ホウ素１当量当たり約１〜約７当量のリン酸を添加する、［１］に記載の方法。
［１４］  ホウ素１当量当たり約２〜約５当量のリン酸を添加する、［１］に記載の方法。
［１５］  ホウ素１当量当たり約２.５〜約４.５当量のリン酸を添加する、［１］に記載の方法。
［１６］  アルキレンオキシドは、エチレンオキシド、プロピレンオキシド、１,２-および２,３-ブチレンオキシド、イソブチレンオキシド、エピクロロヒドリン、シクロヘキセンオキシド、スチレンオキシドおよびＣ５〜Ｃ３０α-アルキレンオキシドから選択される、［１］に記載の方法。
［１７］  アルキレンオキシドは、プロピレンオキシド、１,２-および２,３-ブチレンオキシドおよびイソブチレンオキシドから選択される、［１］に記載の方法。
［１８］  ＤＭＣ触媒はヘキサシアノコバルト酸亜鉛である、［１］に記載の方法。
［１９］  ポリエーテルの不飽和度は約０.０５ｍｅｑ／ｇ未満である、［１］に記載の方法。
［２０］  ポリエーテルの不飽和度は約０.０４ｍｅｑ／ｇ未満である、［１］に記載の方法。
［２１］  改善が［１］に記載の方法によるポリエーテルポリオールを含めることを含む、ポリウレタン被覆剤、接着剤、シーラント、エラストマーおよび発泡体の１つを製造する方法。
［２２］  ホウ素含有スターター化合物にホウ素１当量当たり約０.７５当量〜約７当量の酸を添加し、および
二重金属シアン化物(ＤＭＣ)触媒の存在下、該ホウ素含有スターター化合物をアルキレンオキシドでポリオキシアルキル化することを含む、燃料添加剤の製造方法。
［２３］  ホウ素含有スターター化合物はＣ９〜Ｃ３０アルコールである、［２２］に記載の方法。
［２４］  ホウ素含有スターター化合物はＣ１３アルコールである、［２２］に記載の方法。
［２５］  ホウ素含有スターター化合物は、約０.０１〜約２０ｍｅｑ／ｋｇのホウ素化合物を含んでなる、［２２］に記載の方法。
［２６］  ホウ素含有スターター化合物は、約０.４〜約１０ｍｅｑ／ｋｇのホウ素化合物を含んでなる、［２２］に記載の方法。
［２７］  ホウ素含有スターター化合物は、約１〜約８ｍｅｑ／ｋｇのホウ素化合物を含んでなる、［２２］に記載の方法。
［２８］  ホウ素１当量当たり約０.８当量〜約５当量の酸を添加する、［２２］に記載の方法。
［２９］  ホウ素１当量当たり約０.９５当量〜約４当量の酸を添加する、［２２］に記載の方法。
［３０］  酸は、鉱酸、有機カルボン酸、ホスホン酸、スルホン酸およびそれらの組合せから選択される、［２２］に記載の方法。
［３１］  酸は、クエン酸、１,３,５-ベンゼントリカルボン酸、ホスホン酸、ｐ-トルエンスルホン酸、塩酸、臭化水素酸、硫酸、ギ酸、シュウ酸、クエン酸、酢酸、マレイン酸、無水マレイン酸、コハク酸、無水コハク酸、アジピン酸、塩化アジポイル、無水アジピン酸、塩化チオニル、三塩化リン、塩化カルボニル、三酸化硫黄、塩化チオニル五酸化リン、オキシ三塩化リンおよびそれらの組合せから選択される、［２２］に記載の方法。
［３２］  酸はリン酸である、［２２］に記載の方法。
［３３］  ホウ素１当量当たり約１〜約７当量のリン酸を添加する、［２２］に記載の方法。
［３４］  ホウ素１当量当たり約２〜約５当量のリン酸を添加する、［２２］に記載の方法。
［３５］  ホウ素１当量当たり約２.５〜約４.５当量のリン酸を添加する、［２２］に記載の方法。
［３６］  アルキレンオキシドは、エチレンオキシド、プロピレンオキシド、１,２-および２,３-ブチレンオキシド、イソブチレンオキシド、エピクロロヒドリン、シクロヘキセンオキシド、スチレンオキシドおよびＣ５〜Ｃ３０α-アルキレンオキシドから選択される、［２２］に記載の方法。
［３７］  アルキレンオキシドは、プロピレンオキシド、１,２-および２,３-ブチレンオキシドおよびイソブチレンオキシドから選択される、［２２］に記載の方法。
［３８］  ＤＭＣ触媒はヘキサシアノコバルト酸亜鉛である、［２２］に記載の方法。
［３９］  燃料添加剤の不飽和度は約０.０５ｍｅｑ／ｇ未満である、［２２］に記載の方法。
［４０］  燃料添加剤の不飽和度は約０.０４ｍｅｑ／ｇ未満である、［２２］に記載の方法。
［４１］  ［２２］に記載の方法により製造された燃料添加剤。